(57)【特許請求の範囲】
【請求項１】
第１の伝票とその下側に重ねられた第２の伝票とを有し、前記第１の伝票に記録された情報が選択的に前記第２の伝票に複写される複写伝票において、
前記第２の伝票上に剥離可能に設けられ、剥離後の再粘着可能なラベル部と、前記第１の伝票の下面側であって前記ラベル部と対向する領域又は前記ラベル部の上面側の少なくとも一方に設けられ、前記第１の伝票の上面に記録された情報を、前記ラベル部の上面に複写させる第１の情報複写層と、
前記ラベル部の下面側又はその領域と対向する前記第２の伝票の上面側の少なくとも一方に設けられ、前記第１の伝票の上面に記録された情報を前記第２の伝票の上面に複写させる第２の情報複写層と
を備えることを特徴とする複写伝票。
【請求項２】
請求項１に記載の複写伝票において、
前記第２の伝票の上面側であって前記ラベル部が設けられた領域以外の領域又はそれと対向する前記第１の伝票の下面側の少なくとも一方に設けられ、前記第１の伝票の上面に記録された情報を、前記第２の伝票の上面に複写させる第３の情報複写層を備える
ことを特徴とする複写伝票。
【請求項３】
請求項１又は請求項２に記載の複写伝票において、
前記第１の情報複写層又は前記第３の情報複写層の少なくとも一方は、
一方の面側に設けられ、発色剤と顕色剤とを有する第１の層と、
他方の面側に設けられ、発色剤を有する第２の層とを備え、
前記第１の伝票の上面に記録された情報を前記第１の伝票の下面に複写させる
ことを特徴とする複写伝票。
【請求項４】
請求項３に記載の複写伝票において、
前記第１の層の発色剤と前記第２の層の発色剤とは、異なる発色色素を有する
ことを特徴とする複写伝票。
【請求項５】
請求項１〜請求項４のいずれか１項に記載の複写伝票において、
前記第２の伝票の下面側であって前記第２の情報複写層が設けられた領域と厚み方向において重なる領域に設けられ、前記第１の伝票の上面に記録された情報を、その下側の複写部材に複写させる第４の情報複写層を備える
ことを特徴とする複写伝票。
【請求項６】
請求項５に記載の複写伝票において、
前記第２の伝票の下側に配置され、前記第１の伝票の上面に記録された情報が前記第４の情報複写層により複写される第３の伝票を備える
ことを特徴とする複写伝票。
【請求項７】
請求項１〜請求項４のいずれか１項に記載の複写伝票において、
前記第２の伝票の下側に配置された第３の伝票と、
前記第２の伝票の下面側であって前記第２の情報複写層が設けられた領域と厚み方向において重なる領域又はその領域と対向する前記第３の伝票の上面側の少なくとも一方に設けられ、前記第１の伝票の上面に記録された情報を前記第３の伝票の上面に複写させる第４の情報複写層と
を備えることを特徴とする複写伝票。
【請求項８】
請求項５若しくは請求項６又は請求項７に記載の複写伝票において、
前記第４の情報複写層は、前記第１の情報複写層により前記ラベル部の上面に複写される情報の色彩と異なる色彩で、前記第１の伝票の上面に記録された情報を、前記複写部材又は前記第３の伝票に複写させる
ことを特徴とする複写伝票。
【請求項９】
請求項１〜請求項８のいずれか１項に記載の複写伝票において、
前記第１の情報複写層及び前記第２の情報複写層は、前記第１の伝票及び前記第２の伝票の金額の記入欄の領域と厚み方向において重なる領域に設けられている
ことを特徴とする複写伝票。
【請求項１０】
請求項１〜請求項９のいずれか１項に記載の複写伝票において、
前記ラベル部は、基材と、前記基材の下側に設けられた粘着剤とを有し、
前記第２の伝票上には、透明又は半透明のフィルム状体が設けられており、
前記ラベル部の前記粘着剤と前記第２の伝票の前記フィルム状体とは、剥離剤により剥離可能に粘着されており、
前記第２の情報複写層は、前記剥離剤に混入された顕色剤と、前記粘着剤に混入された発色剤とを有する
ことを特徴とする複写伝票。
【請求項１１】
請求項１〜請求項９のいずれか１項に記載の複写伝票において、
前記ラベル部は、基材と、前記基材の下側に設けられた粘着剤とを有し、
前記第２の伝票上には、前記粘着剤を剥離可能に粘着させるとともに、印刷，印字，又は筆記適性を有する表面処理層を備える
ことを特徴とする複写伝票。
【請求項１２】
請求項５〜請求項１１のいずれか１項に記載の複写伝票の使用方法であって、
前記第１の伝票上から情報を記録することにより、前記ラベル部上、前記第２の伝票上、及び前記複写部材上又は前記第３の伝票上に情報を複写し、その情報の複写後に、前記第２の伝票から前記ラベル部を剥離して、前記複写部材上又は前記第３の伝票上に前記ラベル部を貼付する
ことを特徴とする複写伝票の使用方法。
【発明の詳細な説明】
【０００１】
【発明の属する技術分野】
この発明は、複数枚の伝票が重ねられ、上側の伝票に記録した情報が選択的にその下側の伝票に複写される複写伝票とその使用方法に関するものである。
【０００２】
【従来の技術】
従来より、入金票と領収書とを有する複写伝票が広く使用されている。ここで、入金票と領収書とで異なる金額を記入するという不正行為が行われる場合があった。例えば、入金票には真の金額を記入するが、客に渡す領収書には、実際の金額より多い金額を記入し、その差額を不正に受け取ることが行われた経緯がある。かかる不正行為を防止するためのものとして、以下の複写伝票が知られている。
【０００３】
図６は、従来の複写伝票の一例を分解して示す断面図である。複写伝票１０は、記入者控え票１１と、領収書１２と、入金連絡票１３とが重ねられたものである。記入者控え票１１上に情報が記録されると、その情報が選択的にその下側の領収書１２及び入金連絡票１３に複写される。
記入者控え票１１の下面（裏面）側には、発色剤層１１ａが設けられている。発色剤層１１ａは、外径が数μｍ程度の大きさのマイクロカプセル中にロイコ染料等の発色色素を封入した発色カプセルを含有した層である。マイクロカプセル中に発色色素を封入する方法としては、コアセルベーション法や、界面重合法等があげられる。
【０００４】
また、領収書１２の上面側には、顕色剤層１２ａが設けられている。顕色剤層１２ａは、発色剤層１１ａの発色色素と反応することにより、発色する層である。さらに、領収書１２の下面側には、発色剤層１２ｂが設けられている。また、入金連絡票１３の上面側には、発色剤層１２ｂと反応して発色する顕色剤層１３ａが設けられている。
ここで、発色剤層１２ｂと顕色剤層１３ａとが反応して発色する色彩は、発色剤層１１ａと顕色剤層１２ａとが反応して発色する色彩と異なる色彩である。
【０００５】
記入者控え票１１に、金額その他の情報が記録されると、その印字圧又は筆圧により、発色剤層１１ａのマイクロカプセルが破砕され、顕色剤層１２ａと反応して発色する。これにより、領収書１２上には、情報が複写される。さらに、この印字圧又は筆圧により、発色剤層１２ｂのマイクロカプセルが破砕され、顕色剤層１３ａと反応して発色する。これにより、入金連絡票１３上には、情報が複写される。そして、領収書１２上に複写された情報と、入金連絡票１３上に複写された情報との色彩が異なる。
【０００６】
従って、例えば２枚目の領収書１２を抜き取って情報を複写した場合には、記入者控え票１１の発色剤層１１ａと入金連絡票１３の顕色剤層１３ａとによって入金連絡票１３上に情報が複写されることとなるので、本来の色彩とは異なる色彩で情報が複写されることとなる。よって、入金連絡票１３に複写された情報の色彩を見れば、複写伝票１０の不正使用を一目で確認することができるとともに、領収書１２の偽造を牽制することができる。
【０００７】
【発明が解決しようとする課題】
しかし、前述の従来の複写伝票１０では、領収書１２が偽造されてしまう場合があった。
すなわち、使用する複写伝票１０の領収書１２を抜き出して、この領収書１２に実際の金額と異なる金額を記入する。そして、使用する複写伝票１０の記入者控え票１１と入金連絡票１３との間に、別の複写伝票１０から抜き取った領収書１２を挟んで複写すれば、本来の色彩で入金連絡票１３に金額を複写することができる、という問題があった。
本発明の課題は、複写伝票において不正な情報の複写を牽制することにある。
【０００８】
【課題を解決するための手段】
上述の課題を解決するために、請求項１の発明は、第１の伝票とその下側に重ねられた第２の伝票とを有し、前記第１の伝票に記録された情報が選択的に前記第２の伝票に複写される複写伝票において、前記第２の伝票上に剥離可能に設けられ、剥離後の再粘着可能なラベル部と、前記第１の伝票の下面側であって前記ラベル部と対向する領域又は前記ラベル部の上面側の少なくとも一方に設けられ、前記第１の伝票の上面に記録された情報を、前記ラベル部の上面に複写させる第１の情報複写層と、前記ラベル部の下面側又はその領域と対向する前記第２の伝票の上面側の少なくとも一方に設けられ、前記第１の伝票の上面に記録された情報を前記第２の伝票の上面に複写させる第２の情報複写層とを備えることを特徴とする。
【０００９】
請求項２の発明は、請求項１に記載の複写伝票において、前記第２の伝票の上面側であって前記ラベル部が設けられた領域以外の領域又はそれと対向する前記第１の伝票の下面側の少なくとも一方に設けられ、前記第１の伝票の上面に記録された情報を、前記第２の伝票の上面に複写させる第３の情報複写層を備えることを特徴とする。
請求項３の発明は、請求項１又は請求項２に記載の複写伝票において、前記第１の情報複写層又は前記第３の情報複写層の少なくとも一方は、一方の面側に設けられ、発色剤と顕色剤とを有する第１の層と、他方の面側に設けられ、発色剤を有する第２の層とを備え、前記第１の伝票の上面に記録された情報を前記第１の伝票の下面に複写させることを特徴とする。
請求項４の発明は、請求項３に記載の複写伝票において、前記第１の層の発色剤と前記第２の層の発色剤とは、異なる発色色素を有することを特徴とする。
【００１０】
請求項５の発明は、請求項１〜請求項４のいずれか１項に記載の複写伝票において、前記第２の伝票の下面側であって前記第２の情報複写層が設けられた領域と厚み方向において重なる領域に設けられ、前記第１の伝票の上面に記録された情報を、その下側の複写部材に複写させる第４の情報複写層を備えることを特徴とする。
請求項６の発明は、請求項５に記載の複写伝票において、前記第２の伝票の下側に配置され、前記第１の伝票の上面に記録された情報が前記第４の情報複写層により複写される第３の伝票を備えることを特徴とする。
【００１１】
請求項７の発明は、請求項１〜請求項４のいずれか１項に記載の複写伝票において、前記第２の伝票の下側に配置された第３の伝票と、前記第２の伝票の下面側であって前記第２の情報複写層が設けられた領域と厚み方向において重なる領域又はその領域と対向する前記第３の伝票の上面側の少なくとも一方に設けられ、前記第１の伝票の上面に記録された情報を前記第３の伝票の上面に複写させる第４の情報複写層とを備えることを特徴とする。
請求項８の発明は、請求項５若しくは請求項６又は請求項７に記載の複写伝票において、前記第４の情報複写層は、前記第１の情報複写層により前記ラベル部の上面に複写される情報の色彩と異なる色彩で、前記第１の伝票の上面に記録された情報を、前記複写部材又は前記第３の伝票に複写させることを特徴とする。
【００１２】
請求項９の発明は、請求項１〜請求項８のいずれか１項に記載の複写伝票において、前記第１の情報複写層及び前記第２の情報複写層は、前記第１の伝票及び前記第２の伝票の金額の記入欄の領域と厚み方向において重なる領域に設けられていることを特徴とする。
請求項１０の発明は、請求項１〜請求項９のいずれか１項に記載の複写伝票において、前記ラベル部は、基材と、前記基材の下側に設けられた粘着剤とを有し、前記第２の伝票上には、透明又は半透明のフィルム状体が設けられており、
前記ラベル部の前記粘着剤と前記第２の伝票の前記フィルム状体とは、剥離剤により剥離可能に粘着されており、前記第２の情報複写層は、前記剥離剤に混入された顕色剤と、前記粘着剤に混入された発色剤とを有することを特徴とする。請求項１１の発明は、請求項１〜請求項９のいずれか１項に記載の複写伝票において、前記ラベル部は、基材と、前記基材の下側に設けられた粘着剤とを有し、前記第２の伝票上には、前記粘着剤を剥離可能に粘着させるとともに、印刷，印字，又は筆記適性を有する表面処理層を備えることを特徴とする。
【００１３】
請求項１２の発明は、請求項５〜請求項１１のいずれか１項に記載の複写伝票の使用方法であって、前記第１の伝票上から情報を記録することにより、前記ラベル部上、前記第２の伝票上、及び前記複写部材上又は前記第３の伝票上に情報を複写し、その情報の複写後に、前記第２の伝票から前記ラベル部を剥離して、前記複写部材上又は前記第３の伝票上に前記ラベル部を貼付することを特徴とする。
【００１４】
【発明の実施の形態】
以下、図面等を参照して、本発明の一実施形態について説明する。図１は、本発明による複写伝票の第１の実施形態を分解して示す断面図である。図１において、複写伝票２０は、記入者控え票２１と、領収書２２と、ラベル部２４と、入金連絡票２３とを有している。
記入者控え票２１の下面（裏面）側には、発色剤層２１ａが設けられている。発色剤層２１ａは、図６で示した発色剤層１１ａと同様のものである。特に、この実施形態では、発色剤層２１ａは、黄色の発色色素を有するものである。
【００１５】
領収書２２の上面側には、自己発色層２２ａが設けられている。自己発色層２２ａは、発色剤と顕色剤との双方を有するものであり、印字圧や筆圧等が作用すると、それ自体で発色可能な層である。この実施形態での自己発色層２２ａは、発色剤を含有する層と顕色剤を含有する層とが積層された層である。自己発色層２２ａにおいては、発色剤と顕色剤との双方が、上述したマイクロカプセルに封入されている。そして、発色剤と顕色剤とは、液状体であり、軟質のワックス系材料を含むものである。特に、この実施形態での自己発色層２２ａの発色剤は、青色の発色色素を有するものである。
【００１６】
また、領収書２２上には、ラベル部２４が設けられている。また、ラベル部２４の上面部には、自己発色層２４ａが設けられている。自己発色層２４ａは、上述の自己発色層２２ａと同様のものである。ここで、ラベル部２４、並びにラベル部２４と厚み方向において重なる記入者控え票２１、領収書２２、及び入金連絡票２３の領域には、金額の記入欄が設けられている。
【００１７】
図２は、ラベル部２４の詳細な構成を示す断面図である。図２において、ラベル部２４は、基材２４ｂと、その下側に設けられた粘着剤層２４ｃとを有している。一方、領収書２２上には、接着剤層２２ｃを介して透明又は半透明のフィルム状体２２ｄが設けられている。そして、ラベル部２４の粘着剤層２４ｃと領収書２２のフィルム状体２２ｄとの間には剥離層２５が設けられ、両者が剥離可能に結合されている。これにより、ラベル部２４は、領収書２２上に剥離可能かつ剥離後の再粘着可能に粘着されている。
なお、この実施形態でのフィルム状体２２ｄは、印字圧，筆圧をその下側に伝達可能な材質から形成されている。
【００１８】
一方、図１において、領収書２２の下面側には、発色剤層２２ｂが設けられている。また、入金連絡票２３の上面側には、発色剤層２２ｂと反応して発色する顕色剤層２３ａが設けられている。ここで、発色剤層２２ｂに含有された発色色素は、自己発色層２２ａ，２４ａに含有された発色色素（青色）と異なるものである。
【００１９】
記入者控え票２１に、金額その他の情報が記録されると、その印字圧又は筆圧により、発色剤層２１ａの発色剤のマイクロカプセル、及び自己発色層２２ａ，２４ａの発色剤及び顕色剤のマイクロカプセルが破砕される。これにより、領収書２２上，ラベル部２４上には、主としてそれぞれ自己発色層２２ａ，２４ａの発色剤と顕色剤とが反応して発色し、青みの強い緑色（黄色と青色との混合色）で情報が複写される。
【００２０】
また、記入者控え票２１の裏面上には、主として発色剤層２１ａの発色剤と自己発色層２２ａ，２４ａの顕色剤とが反応して発色し、黄色みの強い緑色で情報が複写される。これは、自己発色層２２ａ，２４ａの顕色剤がワックス系材料を含む液状体であるので、反対面側に転移しやすくなっているためである。なお、記入者控え票２１の裏面においては、情報は、鏡像となる。図３は、このときのラベル部２４の上面に複写された情報（図中（ａ））と、記入者控え票２１の裏面に複写された情報（図中（ｂ））とを示す図である。
【００２１】
また、ラベル部２４上に印字圧又は筆圧が作用すると、その下側の領収書２２の領域には、自己発色層２２ａにより情報が複写される。
さらに、領収書２２の下側の発色剤層２２ｂのマイクロカプセルが破砕され、顕色剤層２３ａと反応して発色する。これにより、入金連絡票２３上には、情報が複写される。ここで、入金連絡票２３上に複写された情報の色彩は、領収書２２上に複写された情報の色彩と異なる。
【００２２】
情報の複写後には、ラベル部２４を領収書２２から剥離して、入金連絡票２３の所定領域に貼付する。図４は、このときの入金連絡票２３を示す図である。なお、領収書２２上からラベル部２４を剥離した後は、ラベル部２４が貼付されていた領域には、ラベル部２４上に複写された情報と同一の情報が表示される。これは、自己発色層２２ａによりフィルム状体２２ｄの下層にも情報が複写されているからである。
【００２３】
以上により、例えば２枚目の領収書２２を抜き取って情報を複写した場合には、記入者控え票２１の発色剤層２１ａと入金連絡票２３の顕色剤層２３ａとによって入金連絡票２３上に情報が複写されることとなるので、本来の色彩とは異なる色彩で入金連絡票２３上に情報が複写されることとなる。よって、複写伝票２０の不正使用を一目で確認することができるとともに、領収書の偽造を牽制することができる。
【００２４】
また、領収書２２を抜き取って情報を複写した場合には、記入者控え票２１の裏面側には情報は複写されない。従って、記入者控え票２１の裏面側を見ることでも、複写伝票２０の不正の有無を判別することができる。
さらに、ラベル部２４は、入金連絡票２３上に貼付されるので、入金連絡票２３に複写された情報とラベル部２４に複写された情報の書体の同一性を確認すれば、不正に複写が行われていないかを一目で判別することができる。
【００２５】
図５は、本発明による複写伝票の第２の実施形態を分解して示す断面図である。第２の実施形態の複写伝票２０Ａは、第１の実施形態の複写伝票２０と比較して、以下の点が異なる。
領収書２２Ａの自己発色層２２ａの上部には、表面処理層２２ｅが設けられている。表面処理層２２ｅは、例えばシリコン加工等が施されたものであり、ラベル部２４の粘着剤層２４ｂが剥離可能かつ剥離後の再粘着可能に粘着可能であるとともに、表面が印字適性、筆記適性を有するように処理されたものである。表面が印字適性や筆記適性を有するようにするためには、例えばマット処理があげられる。
このように形成すれば、第１の実施形態のように、領収書２２上に接着剤層２２ｃを介してフィルム状体２２ｄを設け、かつラベル部２４との間に剥離層２５を設けるというような複雑な構成をせずに、第１の実施形態と同様の効果が得られる。
【００２６】
以上、本発明の一実施形態について説明したが、本発明は、上述した実施形態に限定されることなく、均等の範囲内で例えば以下のような種々の変形が可能である。
（１）記入者控え票２１の裏面側に設けた発色剤層２１ａは、必ずしも設ける必要はない。領収書２２側に自己発色層２２ａを設ければ、記入者控え票２１の裏面側に情報を複写させることは可能である。ただし、このときは、記入者控え票２１の裏面側に複写される情報と、領収書２２の上面側に複写される情報とは、同一の色彩になる。
【００２７】
（２）領収書２２の上面側の自己発色層２２ａは、略全面に形成しても良いが、例えばラベル部２４の下側領域（金額記入欄の領域）にのみグラビア印刷等によってパターン状に形成しても良い。このときは、領収書２２上のラベル部２４以外の領域とそれと対向する記入者控え票２１の裏面側には、通常の発色剤と顕色剤とからなる情報複写層を設ければ良い。このようにすれば、さらに不正行為が困難となる。
（３）また、ラベル部２４の下側の領収書２２上には、自己発色層２２ａによる複写ではなく、通常の発色剤と顕色剤とからなる情報複写層を設けることもできる。例えば、領収書２２上には顕色剤を設け、その上部の接着剤層２２ｃに発色剤を含有させれば良い。
（４）さらに、フィルム状体２２ｄ上に情報が複写されるようにすることもできる。例えば、ラベル部２４の粘着剤層２４ｃには発色剤を含有させ、剥離層２５には顕色剤を含有させれば良い。
【００２８】
（５）領収書２２の下面側には発色剤層２２ｂを形成せずに、入金連絡票２３の上面側に発色剤と顕色剤とを有する自己発色層を設けても、同様の効果が得られる。
（６）実施形態での自己発色層２２ａ，２４ａは、発色剤を含有する層と顕色剤を含有する層とが積層された層を示したが、これに限らず、発色剤と顕色剤とを混合した１層型のものでも良い。
【００２９】
【発明の効果】
請求項１，２の発明によれば、第１の伝票に情報が記録されると、ラベル部及び第２の伝票に情報が複写されるので、ラベル部を第２の伝票から剥離して他の伝票に貼付し、その伝票のラベル部に複写された情報を見ることで、第２の伝票に複写された情報を確認することができる。
請求項３の発明によれば、第２の伝票に情報が複写されるときに第１の伝票の裏面側に情報が複写されるようにしたので、第１の伝票の裏面を見ることにより複写伝票の不正使用の有無を一目で判別することができる。また、第２の伝票の偽造を牽制することができる。
請求項４の発明によれば、第２の伝票の上面側と第１の伝票の裏面側とに異なる色彩で情報が複写されるので、第２の伝票の偽造をより効果的に牽制することができる。
【００３０】
請求項５〜請求項７の発明によれば、第２の伝票に複写された情報を、さらにその下側の複写部材，第３の伝票に複写させることができる。
請求項８の発明によれば、第２の伝票に複写される情報の色彩と異なる色彩でその下側の複写部材，第３の伝票に情報が複写されるので、第２の伝票を抜き取ってその下側の複写部材，第３の伝票に情報を複写することができなくなり、第２の伝票の偽造をより効果的に牽制することができる。
請求項９の発明によれば、一部の伝票が領収書等である場合の偽造を牽制することができる。
請求項１０の発明によれば、粘着剤と剥離剤とに、それぞれ発色剤と顕色剤とを混入することで、第２の情報複写層を形成したので、ラベル部及び第２の伝票と第２の情報複写層を兼ねることができる。
請求項１１の発明によれば、簡易な構成で、第２の伝票上にラベル部を剥離可能に粘着させておくことができる。
【００３１】
請求項１２の発明によれば、複写後に複写部材又は第３の伝票上にラベル部を貼付するようにしたので、ラベル部に複写された情報と複写部材又は第３の伝票に複写された情報との同一性を目視で確認することにより、複写伝票の不正使用を判別することができる。
【図面の簡単な説明】
【図１】本発明による複写伝票の第１の実施形態を分解して示す断面図である。
【図２】ラベル部２４の詳細な構成を示す断面図である。
【図３】ラベル部２４の上面に複写された情報と、記入者控え票２１の裏面に複写された情報とを示す図である。
【図４】情報が複写された入金連絡票２３を示す図である。
【図５】本発明による複写伝票の第２の実施形態を分解して示す断面図である。
【図６】従来の複写伝票の一例を分解して示す断面図である。
【符号の説明】
２０  複写伝票
２１  記入者控え票
２１ａ  発色剤層
２２  領収書
２２ａ  自己発色層
２２ｂ  発色剤層
２２ｃ  接着剤層
２２ｄ  フィルム状体
２３  入金連絡票
２３ａ  顕色剤層
２４  ラベル部
２４ａ  自己発色層
２４ｂ  基材
２４ｃ  粘着剤層
２５  剥離層
【図１】
0003718010.tif 000002
【図２】
0003718010.tif 000003
【図３】
0003718010.tif 000004
【図４】
0003718010.tif 000005
【図５】
0003718010.tif 000006
【図６】
0003718010.tif 000007